(57)【特許請求の範囲】
【請求項１】
整髪用のバリカンの刃部に着脱自在に取着されると共に複数の櫛歯の高さが刃部の往復方向において一側端から他側端に向かって漸次高くなっている刈り上げ用アタッチメントであって、その櫛歯が一側端から刃部のカット範囲に対して途中までしか設けられていないと共に、櫛歯が設けられていない他側端に髪のさそい込み部を有する櫛部を設けたことを特徴とする刈り上げ用アタッチメント。
【請求項２】
バリカンに対してバリカンの刃部の刃先方向にスライド可能に取り付けられるようにして刈り高さを可変できるようにしたことを特徴とする請求項１記載の刈り上げ用アタッチメント。
【発明の詳細な説明】
【０００１】
【発明の属する技術分野】
本発明は、バリカンの先端に取り付けての毛髪の刈り上げを行うのに用いる刈り上げ用アタッチメントに関し、詳しくは刈り上げの仕上がりをよくする技術に関するものである。
【０００２】
【従来の技術】
従来より、整髪用のバリカンの刃部に着脱自在に取着されると共に複数の櫛歯の高さが一側端から他側端に向けて漸次高くなっている刈り上げ用アタッチメントが提供されており、耳回りや裾部の刈り上げを行うときに有効なものとなっていた。
【０００３】
【発明が解決しようとする課題】
ところが、このような構成のものにおいては、刃部のカット範囲に対して櫛歯が一側端から他側端まで設けられているために他側端より外側の髪はカットすることができず、残ってしまう。つまり、従来の刈り上げ用アタッチメントＡ′は図６に示すように櫛歯１が一側端から他側端までの全ての範囲に設けられているため髪Ｈを刈るとき、最も他側端の櫛歯１ａより外側の髪Ｈは刃部２に導入することができず、図６に示すようにカットできない。図６で符号Ｂに示す部分の毛髪Ｈがカットできない。この残った髪の毛をカットしなければ刈り上げスタイルは仕上げられないが、この髪をカットするのが難しく、従来よりこの点が刈り上げスタイルを上手に仕上げられない原因となっていた。
【０００４】
本発明は叙述の点に鑑みてなされたものであって、刈り上げ用アタッチメントのみで刈り上げスタイルを仕上げることを達成できる刈り上げ用アタッチメントを提供するにある。
【０００５】
【課題を解決するための手段】
上記課題を解決するために請求項１の刈り上げ用アタッチメントＡは、整髪用のバリカン３の刃部２に着脱自在に取着されると共に複数の櫛歯１の高さが刃部２の往復方向において一側端から他側端に向かって漸次高くなっているものであって、その櫛歯１が一側端から刃部２のカット範囲に対して途中までしか設けられていないことを特徴とする。刈り上げ用アタッチメントＡをバリカン３に取着して髪Ｈをカットするとき他側端がわに櫛歯１がないことにより刃部２の外側にはみ出す髪Ｈがなく、一度で刈り上げスタイルを仕上げることができる。
また請求項１の刈り上げ用アタッチメントＡは、櫛歯１が設けられていない他側端に髪Ｈのさそい込み部４を有する櫛部５を設けたことを特徴とする。他側端で髪Ｈが逃げないようにさそい込むことができて一層刈り上げスタイルを向上できる。
【０００６】
また請求項２の刈り上げ用アタッチメントＡは、請求項１において、バリカン３に対してバリカン３の刃部２の刃先方向にスライド可能に取り付けられるようにして刈り高さを可変できるようにしたことを特徴とする。刈り上げ用アタッチメントＡの位置を刃部２に対してスライドさせて位置調整することにより１つの刈り上げ用アタッチメントＡにて好みの刈り高さを選ぶことができる。
【０００８】
【発明の実施の形態】
バリカン３は電動式のものであり、図１に示すようにヘッド部６の先端に刃部２が設けられている。この刃部２は固定刃と可動刃とを有し、固定刃に対して可動刃がバリカン３の幅方向に往復動することで髪Ｈを切断できるようになっている。バリカン３のグリップ部７にはスイッチハンドル８が設けられている。刈り上げ用アタッチメントＡは図２に示すようにバリカン３のヘッド部６に被嵌部９を被嵌することでバリカン３に着脱自在に装着することができるようになっている。この刈り上げ用アタッチメントＡには刈り上げ用アタッチメントＡの幅方向の一側端から他側端に向けて漸次刈り高さの高くなる複数の櫛歯１が列設されるのであるが、この櫛歯１は刈り上げ用アタッチメントＡの幅方向の一側端から刃部２のカット範囲に対して途中までしか設けられていない。つまり、一側端から幅方向に中間部分までしか櫛歯１が設けられていなく、最も他側がわの刈り高さの高い櫛歯１ａより他側端がわの刃部２が剥き出しになっている。髪Ｈの刈り高さは各櫛歯１の表裏方向に突出する高さで決定されるものであり、一側の櫛歯１から他側がわに向けて刈り高さがｈ１，ｈ２，ｈ３…（ｈ１＜ｈ２＜ｈ３＜  …）と漸次高くなっている。本例の場合、櫛歯１は刈り上げ用アタッチメントＡの表裏共に一側端がわから他側がわに向けて漸次高くなっており、また櫛歯１の刃先方向への突出長さＬも一側端がわから他側がわに向けて漸次長くなっている。また本例の刈り上げ用アタッチメントＡの場合、刈り上げ用アタッチメントＡの他側端にさそい込み部４を有する櫛部５を設けてある。さそい込み部４は傾斜面で形成されている。
【０００９】
図３も刈り上げ用アタッチメントＡのバリカン３への装着時の状態であるが、刈り上げ用アタッチメントＡはバリカン３の側面に設けられた凹部１０に刈り上げ用アタッチメントＡの被嵌部９の内面に設けられた突起部１１が係合することにより保持されるようになっている。このとき凹部１０がバリカン３の長手方向に２箇所に設けられているので、バリカン３の刃部２の刃先側の凹部１０に突起部１１を係合させたときと、刃先側と反対の後側の凹部１０に突起部１１を係合させたときとで、バリカン３に対して刈り上げ用アタッチメントＡの保持位置が可変できるようになっている。そして刈り上げ用アタッチメントＡの保持位置を刃先方向に変えることで刈り高さを可変できる。
【００１０】
ところで、従来の刈り上げ用アタッチメントＡ′では図６に示すように最他側端の櫛歯１ａより外側の髪はカットすることができなかったが、本発明では図４に示すように確実にカットできる。つまり、本発明では刃部２のカット範囲に対して櫛歯１が一側端から途中までしか設けられていないので、はみ出す髪Ｈがなくなり、刈り上げ用アタッチメントＡのみで刈り上げスタイルが仕上げられる。図４の符号Ｃに示す櫛歯１のある範囲では髪Ｈを櫛歯１で起毛させて刃部２でカットし、符号Ｄに示す櫛歯１のない範囲では起毛させずに刃部２でカットする。
【００１１】
図５も刈り上げ用アタッチメントＡの使用状態を示すものである。本例の刈り上げ用アタッチメントＡの場合、刈り上げ用アタッチメントＡの他側端がわにさそい込み部４を有する櫛部５を設けてあるために図５に示すように上部の髪Ｈが刃部２より外側に逃げないように（図５の矢印Ｅに示すように）さそい込むようにしている。これにより刈れない髪Ｈがでず、刈り上げ用アタッチメントＡのみで刈り上げが仕上げられるようになっている。
【００１２】
なお、上記の例の刈り上げ用アタッチメントＡでは刃部２を中心に櫛歯１が表裏に突出するように設けているが、これによって刈り上げ用アタッチメントＡを装着したバリカン３の表裏をどちらにしても使用でき、例えば頭部の両サイドの髪Ｈをカットするときにいちいちバリカン３を持ち替える必要がない。なお、また、上記例の場合、刃部２の刃先方向における櫛歯１の突出長さが一側端から他側がわに行くに従って漸次長くなっているが、これらの櫛歯１の突出長さを全て同じにしてもよい。
【００１３】
【発明の効果】
本発明の請求項１の発明は、整髪用のバリカンの刃部に着脱自在に取着されると共に複数の櫛歯の高さが刃部の往復方向において一側端から他側端に向かって漸次高くなっている刈り上げ用アタッチメントにおいて、その櫛歯が一側端から刃部のカット範囲に対して途中までしか設けられていないので、刈り上げ用アタッチメントをバリカンに取着して髪をカットするとき他側端がわに櫛歯がないことにより刃部の外側にはみ出す髪がなく、一度で刈り上げスタイルを仕上げることができるものである。
【００１５】
また本発明の請求項１の発明は、櫛歯が設けられていない他側端に髪のさそい込み部を有する櫛部を設けたので、他側端で髪が逃げないようにさそい込むことができて一層刈り上げスタイルを向上できるものである。
また本発明の請求項２の発明は、請求項１において、バリカンに対してバリカンの刃部の刃先方向にスライド可能に取り付けられるようにして刈り高さを可変できるようにしたので、刈り上げ用アタッチメントの位置を刃部に対してスライドさせて位置調整することにより１つの刈り上げ用アタッチメントにて好みの刈り高さを選ぶことができるものである。
【図面の簡単な説明】
【図１】本発明の実施の形態の一例を示し、（ａ）はバリカンと刈り上げ用アタッチメントを分解した正面図、（ｂ）はバリカンの側面図である。
【図２】同上の刈り上げ用アタッチメントをバリカンに装着した状態を示し、（ａ）は正面図、（ｂ）は側面図、（ｃ）は一部切欠側面図である。
【図３】同上の刈り上げ用アタッチメントをバリカンに装着した状態を示し、（ａ）は一部切欠正面図、（ｂ）は（ａ）と刈り上げ用アタッチメントの位置を変えた状態の一部切欠正面図、（ｃ）はバリカンの側面図である。
【図４】同上の刈り上げ用アタッチメントを用いて髪を切断する状態を説明する説明図である。
【図５】同上の髪を切断する状態を説明する説明図である。
【図６】従来例の髪を切断する状態を説明する説明図である。
【符号の説明】
Ａ  刈り上げ用アタッチメント
１  櫛歯
２  刃部
３  バリカン
４  さそい込み部
５  櫛部
【図１】
0003962128.tif 000002
【図２】
0003962128.tif 000003
【図３】
0003962128.tif 000004
【図４】
0003962128.tif 000005
【図５】
0003962128.tif 000006
【図６】
0003962128.tif 000007